(57)【要約】【課題】トレイに収納された第１の記録媒体の搬送経路と、第２の記録媒体が収納された補助トレイの搬送経路を両立させることができる記録装置を提供すること。【解決手段】第１の記録媒体の搬送を案内する案内部材１４１の媒体搬送経路側に回動自在に軸支したリブ部材１５を配設し、補助トレイ１３０が搬送途中でリブ部材を回動させる。これにより、補助トレイが装置本体内の待機位置から装置本体外の媒体出入位置まで直線移動する際、補助トレイは第１の記録媒体の案内部材の媒体搬送経路側に配設されたリブ部材を回動させて避けるので、相互の干渉を防止することができ、トレイに収納された第１の記録媒体の搬送経路と、第２の記録媒体が収納された補助トレイの搬送経路を両立させることができる。【選択図】      図８
2004216590.tif 000002
【特許請求の範囲】
【請求項１】
トレイに収納された第１の記録媒体を取出して搬送しつつ記録し、また、補助トレイに収納された第２の記録媒体を当該補助トレイごと搬送しつつ記録する記録装置であって、
前記第１の記録媒体の搬送を案内する案内部材の媒体搬送経路側に回動自在に軸支したリブ部材を配設し、前記補助トレイが搬送途中で前記リブ部材を回動させることを特徴とする記録装置。
【請求項２】
前記リブ部材は、前記補助トレイの搬送経路上に配設されていることを特徴とする請求項１に記載の記録装置。
【請求項３】
前記リブ部材は、前記補助トレイの先端に当接してから当該補助トレイ上を転動するローラを有することを特徴とする請求項１または２に記載の記録装置。
【請求項４】
前記補助トレイは、装置本体内の待機位置から装置本体外の媒体出入位置までの間を往復搬送可能に配設されており、搬送不可な前記第２の記録媒体が載置され、当該第２の記録媒体への記録を補助することを特徴とする請求項１〜３の何れか一項に記載の記録装置。
【請求項５】
少なくとも前記トレイの着脱が同一の装置側面側にて実行可能なことを特徴とする請求項１〜４の何れか一項に記載の記録装置。
【発明の詳細な説明】
【０００１】
【発明の属する技術分野】
本発明は、トレイに収納された第１の記録媒体を取出して搬送しつつ記録し、また、補助トレイに収納された第２の記録媒体を当該補助トレイごと搬送しつつ記録する記録装置に関する。
【０００２】
【従来の技術】
例えば特開２００２−２９３４４２号公報に記載のインクジェット式プリンタにおいては、新規の記録用紙はプリンタ本体の前面側に配設されている抜き差し自在なトレイ内に積載されて一端がホッパにより持ち上げられ、最上位の記録用紙が給紙ローラにより引き出され紙送りローラへ給紙される。そして、その記録用紙は間欠的に設定量ずつ搬送されつつ移動可能な記録ヘッドから吐出されるインク滴により印刷が行われ、印刷済みの記録用紙は排紙ローラによりプリンタ本体の前面側に配設されている開閉自在なスタッカ上に排紙されるようになっている。
【０００３】
【発明が解決しようとする課題】
近年、個人的に記録可能なＣＤ−ＲＷ／ＲやＤＶＤ−ＲＷ／Ｒ等の光ディスクが普及してきている。そのような光ディスクの表面に所望の文字や図柄等をインクジェット式プリンタを用いて印刷する場合、光ディスクは通常の記録用紙のように供給・搬送することができないので、補助トレイに光ディスクを収納し、この補助トレイを搬送することにより光ディスクの表面に印刷するようにしている。この補助トレイは、プラスチックで矩形板状に形成されており、１枚の光ディスクが載置・収納可能な円形状の凹部が形成されている。
【０００４】
このような補助トレイを有するディスク印刷機構を上述した前面操作型のインクジェット式プリンタに内蔵させる場合、補助トレイがプリンタ本体内の待機位置から紙送りローラ及び排紙ローラを通ってプリンタ本体外のディスク出入位置までの間を直線で往復移動可能となるように構成する必要がある。ところが、この前面操作型のインクジェット式プリンタは、記録用紙もプリンタ本体内のトレイから紙送りローラ及び排紙ローラを通ってプリンタ本体外のスタッカまでの間を直線で移動するため、記録用紙の案内部が補助トレイと干渉しないように補助トレイを配設させることは困難であった。
【０００５】
本発明は、上記のような課題に鑑みなされたものであり、その目的は、トレイに収納された第１の記録媒体の搬送経路と、第２の記録媒体が収納された補助トレイの搬送経路を両立させることができる記録装置を提供することにある。
【０００６】
【課題を解決するための手段】
上記目的達成のため、本発明に係る記録装置では、トレイに収納された第１の記録媒体を取出して搬送しつつ記録し、また、補助トレイに収納された第２の記録媒体を当該補助トレイごと搬送しつつ記録する記録装置であって、前記第１の記録媒体の搬送を案内する案内部材の媒体搬送経路側に回動自在に軸支したリブ部材を配設し、前記補助トレイが搬送途中で前記リブ部材を回動させることを特徴としている。これにより、補助トレイが装置本体内の待機位置から装置本体外の媒体出入位置まで直線移動する際、補助トレイは第１の記録媒体の案内部材の媒体搬送経路側に配設されたリブ部材を回動させて避けるので、相互の干渉を防止することができ、トレイに収納された第１の記録媒体の搬送経路と、第２の記録媒体が収納された補助トレイの搬送経路を両立させることができる。
【０００７】
前記リブ部材は、前記補助トレイの搬送経路上に配設されていることを特徴としている。これにより、第１の記録媒体の搬送経路上の案内部材には、新たにリブ部材を配設する必要が無いので、組立コストや部品コストを低減させることができる。また、前記リブ部材は、前記補助トレイの先端に当接してから当該補助トレイ上を転動するローラを有することを特徴としている。これにより、補助トレイ及びその補助トレイに収納されている第２の記録媒体の表面がリブ部材により傷付けられることを防止することができる。
【０００８】
前記補助トレイは、装置本体内の待機位置から装置本体外の媒体出入位置までの間を往復搬送可能に配設されており、搬送不可な前記第２の記録媒体が載置され、当該第２の記録媒体への記録を補助することを特徴としている。これにより、折り曲げが困難な記録ディスクや厚手の記録用紙等に対し、高精度な記録を行うことができる。また、少なくとも前記トレイの着脱が同一の装置側面側にて実行可能なことを特徴としている。これにより、上記各作用効果を奏する前面操作型の記録装置を提供することができる。
【０００９】
【発明の実施の形態】
以下、図面に基づいて本発明の実施の形態について詳細に説明する。
【００１０】
図１は、本発明の実施の形態に係る記録装置の１つであるインクジェット式プリンタの構成例を斜め前方から見た斜視図である。このインクジェット式プリンタ１００は、トレイ１２０に収納された記録用紙を取出して搬送しつつ記録することができるとともに、折り曲げが困難で搬送することができない例えば光ディスクが収納された補助トレイ１３０（図７参照）を搬送しつつ光ディスクの表面に記録することができる装置である。
【００１１】
このインクジェット式プリンタ１００は、上方から見たときに凸形状をした扁平な略直方体の形状をしており、一側面（以下、前面という）側から全ての操作を行うことが可能なように構成されている。したがって、装置上面には可動部や操作部等が無く、装置上面は平坦に形成されているので、装置上面に周辺機器等を載置することが可能となっている。
【００１２】
また、上記前面側に対する背面側の両端もしくは一端の切り欠き部には、各種のケーブルコネクタを配設することが可能なように構成されている。このケーブルコネクタとしては、例えばＡＣ１００Ｖの電源コネクタ、ＵＳＢポート、パラレル（ＲＳ２３２Ｃ）ポート等があり、電源コネクタには電源ケーブルコネクタが、ＵＳＢポートにはＵＳＢケーブルコネクタが、パラレルポートにはパラレルケーブルコネクタがそれぞれ接続される。このとき、切り欠き部は、各ケーブルコネクタが背面から飛び出ないような大きさに切り欠かれているので、インクジェット式プリンタ１００を切り欠き部が無い矩形状の面積とほぼ同等のスペースに設置することができる。
【００１３】
さらに、このインクジェット式プリンタ１００の前面から切り欠き部の背面までの距離が、切り欠き部の無い直方体状のプリンタの場合の前面から背面までの距離に比べて短くなるので、１枚の基板に前面側のインターフェース部品と背面側のインターフェース部品を実装する場合に、基板の奥行き寸法を小さくすることができ、部品の実装効率を向上させることができると共に、コストダウンを図ることができる。
【００１４】
このインクジェット式プリンタ１００の後述する図４等に示す用紙搬送部１４０や記録部１５０等は、前面側が開放された筐体１０１及びこの筐体１０１の前面側にはめ込まれた前枠１０２により覆われている。筐体１０１は、例えば金属板の板金加工により、あるいはプラスチックの射出成形により形成され、前枠１０２は、例えばプラスチックの射出成形により形成されている。筐体１０１は、例えば底板と上蓋に分割可能に形成されており、底板と上蓋は、ネジ止めもしくはスナップフィット等により締結されるようになっている。前枠１０２は、筐体１０１に対してネジ止めもしくはスナップフィット等により締結されるようになっている。
【００１５】
前枠１０２の略中央部には、図示矢印ａで示す主走査方向（記録ヘッドの走査方向）を回動軸として図示矢印ｂで示す方向に開閉自在な排紙される記録用紙を受けるためのスタッカ１１０が配設され、このスタッカ１１０の下部には、図示矢印ｃで示す副走査方向（記録用紙の搬送方向）に抜き差し自在な給紙する記録用紙を収納するためのトレイ１２０が配設されている。
【００１６】
スタッカ１１０は、図１に示すように、前枠１０２に対して閉じているときは格納状態であり、図２に示すように、前枠１０２に対して開いているときは記録完了後に排紙される記録用紙を受けて載置が可能なように構成されている。トレイ１２０は、図１に示すように、前枠１０２に対して後方の筐体１０１内に収納された状態にて記録用紙の供給が可能であり、図３に示すように、前枠１０２に対して前方へ引き出された状態にて記録用紙の補充や交換が可能なように構成されている。この記録用紙としては、普通紙、専用紙、推奨ＯＨＰシート、光沢紙、光沢フィルム、ラベルシート、官製葉書等が利用できる。
【００１７】
図２は、上記スタッカ１１０を開にして記録用紙が受けられるようにした状態を示す斜視図である。このスタッカ１１０は、３段構成となっており、下部両端が前枠１０２に回動可能なように取り付けられた基台１１１と、この基台１１１に対し出し入れ自在に収納された第１の受け台１１２と、この第１の受け台１１２に対し出し入れ自在に収納された第２の受け台１１３を備えている。
【００１８】
基台１１１の両側面の下部には、回動軸となる突起が形成され、基台１１１の両側面に対向する前枠１０２の面の下部には、上記突起が回動可能に填め込まれる孔が形成されている。基台１１１に形成されている突起が前枠１０２に形成されている孔内にそれぞれ差し込まれることにより、基台１１１は前枠１０２に対して略垂直状態から略水平状態までの間を回動し、排紙口を開閉するようになっている。
【００１９】
また、基台１１１の一側面に対向する前枠１０２の面の上部から内部にかけて、基台１１１の回動止めとなるロック機構が取り付けられ、基台１１１の一側面の上部には、上記ロック機構を構成するボールが填め込まれる凹部が形成されている。このロック機構は、ボールが前枠１０２の面から突き出るように取り付けられ、前枠１０２の面に対して内部で垂直方向にスライド可能なボールプランジャと、このボールプランジャを前枠１０２の面方向に垂直に付勢する圧縮コイルバネを備えている。
【００２０】
これにより、基台１１１が開状態のときは、ボールプランジャは圧縮コイルバネにより付勢されて、ボールが前枠１０２の面から突き出ている。一方、基台１１１が閉じられてきて基台１１１の一側面の縁部がボールに対し接触・押圧すると、ボールプランジャがボールとともに前枠１０２の面から内部にスライドする。そして、基台１１１が完全に閉じられると、ボールプランジャは圧縮コイルバネにより付勢されて、ボールが前枠１０２の面から突き出て凹部に填り込み、基台１１１の閉状態をロックする。
【００２１】
基台１１１は、前方に引き出された状態の第１の受け台１１２の後端部を保持し、第１の受け台１１２は、前方に引き出された状態の第２の受け台１１３の後端部を保持している。第１及び第２の受け台１１２、１１３が引き出された状態のスタッカ１１０は、例えばＡ４サイズの大きさの記録用紙より若干大きく作製されている。
【００２２】
基台１１１と第１の受け台１１２の収納口の両端部には、ガイドとなる突起が設けられ、第１の受け台１１２と第２の受け台１１３の両側面には、上記各突起が填め込まれるガイド溝が設けられている。これにより、上記各突起がガイド溝内にてスライドするので、第１の受け台１１２の基台１１１に対する出し入れ及び第２の受け台１１３の第１の受け台１１２に対する出し入れをスムーズに行うことができる。さらに、上記各突起が収納口にてガイド溝壁に係止されるので、第１の受け台１１２の基台１１１に対する引き抜けや、第２の受け台１１３の第１の受け台１１２に対する引き抜けを防止することができる。
【００２３】
図３は、上記トレイ１２０を引き出して記録用紙が収納可能なようにした状態を示す斜視図である。このトレイ１２０は、記録前の記録用紙を積層収納する本体１２１と、積層収納した記録用紙を１枚ずつ供給するために記録用紙の前部を斜め上方に持ち上げるホッパ１２２を有している。
【００２４】
本体１２１は、例えばＡ４サイズの大きさの記録用紙より若干大きく作製されており、記録用紙を内部に配設されている記録用紙の幅方向の位置決め用部材１２１ａ及び図示しない長さ方向の位置決め用部材により所定位置に位置決めして積層収納するようになっている。各位置決め用部材は、幅や長さを段階的に調整可能なスライダ及びストッパを備えており、ストッパを外してスライダをスライドさせ、スライダを本体１２１内に収納された記録用紙の側面に当接させてストッパを掛けることにより、記録用紙を位置決めするようになっている。
【００２５】
本体１２１は、前枠１０２から飛び出ずに面一となるように筐体１０１内に収納されるため引き出しが困難となるおそれがあるが、前面の下部内側にユーザが指を掛けることができる凹部が形成されており、これによりトレイ１２０の引き出しを容易に行うことができるようになっている。さらに、本体１２１の側面をガイドするガイドレールが筐体１０２内に配設されており、これによりトレイ１２０の出し入れをスムーズに行うことができるようになっている。
【００２６】
ここで、上述したようにトレイ１２０はインクジェット式プリンタ１００の前面側で抜き差しされるため、後述する用紙搬送部１４０はトレイ１２０の上方に配設されている。したがって、トレイ１２０から用紙搬送部１４０へ記録用紙を供給するには、トレイ１２０内の記録用紙を一旦持ち上げる必要があり、またトレイ１２０を抜き差しする際に記録用紙が用紙搬送部１４０と干渉しないようにするには、トレイ１２０内の記録用紙を一旦下げる必要があり、このためにホッパ１２２が配設されている。
【００２７】
ホッパ１２２は、本体１２１内の前部に配設された用紙支持部１２２ａ及びこの用紙支持部１２２ａと一体形成された脚部１２２ｂを有しており、脚部１２２ｂと本体１２１の内底面に係止されている付勢部材１２２ｃにより、脚部１２２ｂの端部を中心に旋回する用紙支持部１２２ａにより記録用紙の前部を斜め上方に持ち上げ、また持ち上げた記録用紙の前部を下げるようになっている。
【００２８】
図４は、前枠１０２、スタッカ１１０及びトレイ１２０を取り外した状態を示す斜視図、図５は、筐体１０１、前枠１０２及びスタッカ１１０を取り外した状態を示す斜視図、図６は、その平面図である。トレイ１２０の上部には用紙搬送部１４０が配設され、この用紙搬送部１４０の上方には記録部１５０が配設されている。
【００２９】
用紙搬送部１４０は、記録用紙を筐体１０１内に収納されているトレイ１２０から前面側に引き出されているスタッカ１１０まで搬送する機能を有しており、後面側から前面側にかけて以下の部材が順に配設されている。すなわち、トレイ１２０の上部に配設されている第１紙案内１４１（図５、６参照）、上下に対向配置されている給紙ローラ１４２（図５、６参照）とパッド１４３ａ（図１５参照）を有するパッドホルダ１４３（図１５参照）が配設されている。
【００３０】
さらに、パッドホルダ１４３を支持する第２紙案内１４４（図１５参照）、上下に対向配置されている従動ローラ１４５（図５、６参照）と紙送りローラ１４６（図５、６参照）、記録部１５０の下部に配設されている第３紙案内１４７（図５、６参照）、上下に対向配置されている排紙ギザローラ１４８（図５、６参照）と排紙ローラ１４９（図５参照）が配設されている。
【００３１】
給紙ローラ１４２は、ホッパ１２２により持ち上げられた記録用紙のうち最上層の記録用紙の前部に接触して摩擦により引き込むようになっている。パッドホルダ１４３に取り付けられているパッド１４３ａは、給紙ローラ１４２により引き込まれた記録用紙が複数枚あるとき、最上層の記録用紙のみが搬送されるように最上層の記録用紙とそれより下層の記録用紙とを分離して、下層の記録用紙をトレイ１２０内に戻すようになっている。
【００３２】
従動ローラ１４５と紙送りローラ１４６は、給紙ローラ１４２から搬送されてくる記録用紙を挟持して送り出すようになっている。排紙ギザローラ１４８と排紙ローラ１４９は、従動ローラ１４５と紙送りローラ１４６から搬送されてくる記録用紙を挟持して送り出すようになっている。そして、各紙案内１４１、１４４、１４７は、一部に凸部が形成された平坦な面を有しており、凸部により搬送中の記録用紙面を支持して記録用紙を平坦な状態に維持するようになっている。
【００３３】
記録部１５０は、主走査方向に移動可能なキャリッジ１５１（図５、６参照）、キャリッジ１５１に対して前後方向に脱着可能に取り付けられたインクカートリッジ１５２（図５、６参照）、キャリッジ１５１に搭載された記録ヘッド、キャリッジ１５１の移動を案内するガイド軸１５４（図５、６参照）、記録ヘッドと制御部１６０の専用コントローラボード等を電気的に接続するフレキシブル配線板１５５（図５、６参照）等を備えている。
【００３４】
キャリッジ１５１は、インクジェット式プリンタ１００が非記録状態であるオフ状態もしくはスタンバイ状態のときは図４〜６に示す待機位置（ホームポジション）に位置しており、記録状態のときはホームポジションを離脱して搬送されてくる記録用紙の両端部間を往復移動するようになっている。インクカートリッジ１５２は、例えばイエロー、マゼンタ、シアン、ブラックの計４色のタンクを備えており、フルカラー記録が可能なように構成されている。
【００３５】
記録ヘッドは、インクカートリッジ１５２の上記各色毎のタンクに繋がる複数の圧力発生室とそれらに繋がるノズルを備えており、例えば圧電素子や発熱素子等により圧力発生室内の圧力を変動させて、圧力発生室内に貯留されているインクをノズルから吐出させるようになっている。なお、記録ヘッドは、ホームポジションに位置しているときは、インク乾燥等によるノズルの目詰まり等を防止するために、キャッピング装置により封止されている。
【００３６】
ガイド軸１５４は、例えば軸受を介して取り付けられているキャリッジ１５１が摺動可能なように配設されている。フレキシブル配線板１５５は、キャリッジ１５１の往復移動の際に、キャリッジ１５１等と干渉せず、かつ折り曲げられないように、主走査方向に湾曲させて配設されている。
【００３７】
そして、図５、６に示すように、用紙搬送部１４０を駆動する搬送駆動部１７０として駆動モータ１７１及びギア機構１７２が、用紙搬送部１４０の一側面側に配設され、記録部１５０の記録駆動部１８０として駆動モータ１８１及びベルト機構１８２が、記録部１５０の後方側に配設されている。
【００３８】
駆動モータ１７１としては、例えばステッピングモータが使用されるが、ＤＣモータを使用してもよい。ギア機構１７２としては、通常のギア輪列が使用されるが、ベルト機構を併用してもよい。なお、このギア機構１７２の途中には、記録用紙の搬送位置を検出するためのエンコーダが配設されている。
【００３９】
また、駆動モータ１８１としては、例えばＤＣモータが使用されるが、ステッピングモータを使用してもよい。ベルト機構１８２としては、歯付きベルトと歯付きプーリが高精度であるため望ましいが、平ベルトとプーリでもよい。なお、このベルト機構１８２のベルトと平行して、キャリッジ１５１の移動位置を検出するためのリニアエンコーダが配設されている。
【００４０】
図７は、補助トレイ及び補助トレイ駆動手段の概略構成を示す斜視図である。これらの補助トレイ１３０及び補助トレイ駆動手段１９０は、筺体１０１に内蔵されている。この補助トレイ１３０は、図示Ａで示す筺体１０１内の待機位置から紙送りローラ１４６及び排紙ローラ１４９を通って図示Ｂで示す筺体１０１外のディスク出入位置までの間を往復搬送可能に配設されている。補助トレイ１３０は、プラスチックで矩形板状に形成されており、表面の図示手前側には１枚の光ディスクＤを載置・収納可能な円形状のディスク用凹部１３１が形成され、図示後方左側面側には補助トレイ駆動手段１９０による駆動制御のためのカム溝１３２が形成されている。
【００４１】
補助トレイ駆動手段１９０は、補助トレイ駆動モータ１９１、ギア機構１９２、第１アーム１９３及び第２アーム１９４を備えている。補助トレイ駆動モータ１９１は、ギア機構１９２を介して補助トレイ１３０と連結されており、補助トレイ１３０を待機位置Ａと紙送りローラ１４６との間で移動させるようになっている。
【００４２】
第１アーム１９３は、一端が補助トレイ１３０のカム溝１３２に係止されており、第２アーム１９４は、一端が第１アーム１９３の他端に係止され、中途部が記録ヘッドと連結され、他端が排紙ギザローラ１４８と連結されている。そして、補助トレイ１３０の移動に同期して、第１アーム１９３から第２アーム１９４を介して記録ヘッド及び排紙ギザローラ１４８を移動させるようになっている。
【００４３】
すなわち、記録用紙の厚さに比べて補助トレイ１３０の厚さが厚いので、光ディスクＤの印刷面と記録ヘッドのノズル面との距離が、記録用紙の印刷面と記録ヘッドのノズル面との適正な距離と同一になるように、記録ヘッドを上昇させるようになっている。また、光ディスクＤの印刷面が排紙ギザローラ１４８と接触して傷付いてしまわないように、排紙ギザローラ１４８を上方へ退避させるようになっている。なお、従動ローラ１４５は、プラスチックかゴム等により作成されており、光ディスクＤの印刷面と接触しても傷付くことはないので退避させる必要はないが、下方に付勢されているため、補助トレイ１３０は、例えば４００ｇｆ以上の力で挿入して押し上げる必要がある。
【００４４】
また、このインクジェット式プリンタ１００は、補助トレイ１３０が待機位置Ａから紙送りローラ１４６及び排紙ローラ１４９を通ってディスク出入位置Ｂまでの間を直線で往復移動可能となるように構成されているとともに、記録用紙もトレイ１２０から紙送りローラ１４６及び排紙ローラ１４９を通ってスタッカ１１０までの間を直線で移動するように構成されている。このため、従来技術でも述べたように、第１紙案内１４１が補助トレイ１３０と干渉しないように回避する手段が設けられており、図８〜図１４を参照して説明する。
【００４５】
図８は、第１紙案内１４１とその周辺部の詳細を示す斜視図、図９は、それを下方から見た斜視図である。この第１紙案内１４１は、上述したように補助トレイ１３０と干渉しないように構成されており、補助トレイ１３０とオーバーラップするＡ部分と、補助トレイ１３０及び給紙ローラ１４２とそれぞれオーバーラップするＢ部分と、補助トレイ１３０及び給紙ローラ１４２とは全くオーバーラップしないＣ部分でそれぞれ分離された異なる構造となっている。
【００４６】
図１０は、Ａ部分の第１紙案内１４１Ａ、図１１は、Ｂ部分の第１紙案内１４１Ｂ、図１２は、Ｃ部分の第１紙案内１４１Ｃの詳細を示す斜視図である。Ａ部分の第１紙案内１４１Ａは、一端が主走査方向に配設された回動軸１１に回動自在に取り付けられ、他端に２つの従動ローラ１４５が直列に取り付けられたフレーム１２Ａを備えている。さらに、このＡ部分の第１紙案内１４１Ａは、図１３にも示すように、一端が上記回動軸１１に回動自在に取り付けられ、記録用紙の搬送経路側に形成されている用紙接触面１３Ａの一端に２つのコロローラ１４Ａが直列に取り付けられた可動リブ１５Ａを備えている。従動ローラ１４５及びコロローラ１４Ａは、圧縮バネ１６Ａにより付勢されている。
【００４７】
Ｂ部分の第１紙案内１４１Ｂは、一端が主走査方向に配設された回動軸１１に回動自在に取り付けられ、他端に２つの従動ローラ１４５が直列に取り付けられたフレーム１２Ｂを備えている。さらに、このＢ部分の第１紙案内１４１Ｂは、図１４にも示すように、一端が上記回動軸１１に回動自在に取り付けられ、記録用紙の搬送経路側に形成されている用紙接触面１３Ｂの一端に１つのコロローラ１４Ｂが取り付けられた可動リブ１５Ｂを備えている。そして、コロローラ１４Ｂが配設されていない空間部には、給紙ローラ１４２が配置される。従動ローラ１４５及びコロローラ１４Ｂは、圧縮バネ１６Ｂにより付勢されている。
【００４８】
なお、圧縮バネ１６Ａ及び圧縮バネ１６Ｂの荷重設定は、腰の最も強い記録用紙が可動リブ１５Ａ及び可動リブ１５Ｂに突き当たっても可動リブ１５Ａ及び可動リブ１５Ｂが上方へ回動せず、補助トレイ１３０が可動リブ１５Ａ及び可動リブ１５Ｂに突き当たったときに可動リブ１５Ａ及び可動リブ１５Ｂが上方へ回動するような設定値となっている。
【００４９】
Ｃ部分の第１紙案内１４１Ｃは、一端が主走査方向に配設された回動軸１１に回動自在に取り付けられ、他端に２つの従動ローラ１４５が直列に取り付けられたフレーム１２Ｃを備えている。そして、このＢ部分の第１紙案内１４１Ｂは、補助トレイ１３０の搬送経路に含まれず可動リブは不要であるので、記録用紙の搬送経路側に形成されている用紙接触面１３Ｃは固定されている。
【００５０】
以上のような構成のインクジェット式プリンタ１００において、先ず、記録用紙に記録するときの動作を説明し、次に、光ディスクの表面に印刷する場合の動作を説明する。なお、インクジェット式プリンタ１００とテレビジョン・システムやコンピュータ等との接続配線や電源プラグの接続は既に完了しているものとする。
【００５１】
先ず、ユーザは、図１に示す状態で指をトレイ１２０の底面に設けられている凹部に掛けて引っ張ることにより、図２に示すようにトレイ１２０を前方へ引き出す。続いて、トレイ１２０の本体１１１内の所定位置に複数枚の記録用紙を積層した状態で収納した後、トレイ１２０を後方へ押し込んでセットする。このとき、記録用紙の前部はホッパ１１２により斜め上方に持ち上げられ、最上部の記録用紙の前部先端が給紙ローラ１４２に接触する。次に、ユーザは、指をスタッカ１１０の上部に掛けて引っ張ることにより、図３に示すようにスタッカ１１０を前方へ引き出す。そして、インクジェット式プリンタ１００をスタンバイ状態にし、テレビジョン・システムやコンピュータ等から記録指令を入力する。
【００５２】
すると、トレイ１２０内の最上部の１枚の記録用紙Ｐは、給紙ローラ１４２の回転により給紙ローラ１４２とパッド１４３ａとの間に挟持されて副走査方向である前方へ引き出され、図１５〜図１７に示すように、Ａ部分の第１紙案内１４１Ａの用紙接触面１３Ａ、Ｂ部分の第１紙案内１４１Ｂの用紙接触面１３Ｂ、Ｃ部分の第１紙案内１４１Ｃの用紙接触面１３Ｃと第２紙案内１４４に案内されつつ更に前方へ送り出される。
【００５３】
このとき、記録用紙Ｐがトレイ１２０内の最上部の１枚のみでなく複数枚あるときは、最上部の記録用紙Ｐとそれより下部の記録用紙Ｐとがパッド１４３ａにより分離され、最上部の記録用紙Ｐのみが給紙ローラ１４２とパッド１４３ａとの間に挟持されて更に前方へ送り出され、下部の記録用紙Ｐはトレイ１２０内に戻される。
【００５４】
また、可動リブ１５Ａのコロローラ１４Ａの紙送り方向の配置位置は、給紙ローラ１４２とパッド１４３ａとのニップ点よりも搬送上流側に配置されている。これにより、記録用紙を紙ジャム等の発生させずに確実にピックアップすることができる。さらに、可動リブ１５Ｂのコロローラ１４Ｂの紙送り方向の配置位置は、給紙ローラ１４２との干渉を避けるために、可動リブ１５Ａのコロローラ１４Ａの配置位置よりも搬送下流側に配置されている。これにより、給紙ローラ１４２とパッド１４３ａによる記録用紙のニップ時において、可動リブ１５Ｂのコロローラ１４Ｂの紙送り方向の配置位置（給紙ローラ１４２近傍）での記録用紙の先端は給紙ローラ１４２に押し付けられるため、可動リブ１５Ｂのコロローラ１４Ｂと比較して紙ジャム等に対して有利となる。
【００５５】
そして、最上部の記録用紙Ｐは、従動ローラ１４５と紙送りローラ１４６との間に挟持されて更に前方へ送り出される。その記録用紙Ｐが第３紙案内１４７に達すると、キャリッジ１５１の主走査方向への移動が開始される。すなわち、待機位置（ホームポジション）に位置してしたキャリッジ１５１は、ホームポジションを離脱して搬送されてくる記録用紙Ｐの両端部間を往復移動する。そして、記録ヘッドは、副走査方向に搬送されつつある記録用紙Ｐに対し例えば圧電素子により圧力発生室内の圧力を変動させて、圧力発生室内に貯留されているインクをノズルから吐出して、記録用紙Ｐ上に所定の記録情報を記録する。
【００５６】
このときの記録ヘッドの走査タイミングやインク吐出タイミングは、制御部１６０の専用コントローラボード等により制御され、高精度なインクドット制御、ハーフトーン処理等が実行されるようになっている。そして、その記録用紙Ｐは、排紙ギザローラ１４８と排紙ローラ１４９との間に挟持されて更に前方へ送り出され、最終的に記録が完了した記録用紙Ｐはスタッカ１１０上に排紙される。以上により、記録用紙の記録が完了する。次に、光ディスクの表面の印刷について説明する。
【００５７】
先ず、スタンバイ状態では、補助トレイ１３０は、図７及び図１５に示す待機位置Ａに位置している。ユーザがトレイイジェクトボタンを押下すると、搬送駆動部１７０の駆動モータ１７１が正転して定速駆動となる。続いて、補助トレイ駆動モータ１９１が正転して定速駆動となる。これにより、補助トレイ１３０が移動開始し、これに同期して第１アーム１９３から第２アーム１９４を介して記録ヘッド及び排紙ギザローラ１４８が移動する。
【００５８】
そして、補助トレイ１３０は、待機位置Ａから移動開始し、図１８に示すように、補助トレイ１３０の先端が可動リブ１５Ａのコロローラ１４Ａ（可動リブ１５Ｂのコロローラ１４Ｂ）に当接する。そして、補助トレイ１３０が搬送下流側へ押される力でコロローラ１４Ａ（コロローラ１４Ｂ）が可動リブ１５Ａ（可動リブ１５Ｂ）とともに上方へ回動する。
【００５９】
さらに、補助トレイ１３０が移動すると、図１９、図２０及び図２１に示すように、コロローラ１４Ａ（コロローラ１４Ｂ）は補助トレイ１３０上を転動するので、補助トレイ１３０及びその補助トレイ１３０に収納されている光ディスクＤの表面が可動リブ１５Ａ（可動リブ１５Ｂ）により傷付けられることを防止することができる。そして、補助トレイ１３０が搬送下流側へ押される力で従動ローラ１４５がフレーム１２Ａ（フレーム１２Ｂ）とともに上方へ回動する。以上により、補助トレイ１３０と第１紙案内１４１Ａ（第１紙案内１４１Ｂ）の相互干渉を回避することができる。そして、補助トレイ１３０は、ディスク出入位置Ｂまで移動する。
【００６０】
その後、補助トレイ駆動モータ１９１が停止し、搬送駆動部１７０の駆動モータ１７１が停止する。ユーザが光ディスクを補助トレイ１３０にセットしてトレイセットボタンを押下すると、搬送駆動部１７０の駆動モータ１７１が逆転して定速駆動となり、補助トレイ駆動モータ１９１が逆転して定速駆動となる。続いて、光ディスクの中心位置が検出され、搬送駆動部１７０の駆動モータ１７１が正転して定速駆動となり、補助トレイ駆動モータ１９１が正転して定速駆動となる。そして、補助トレイ１３０は、待機位置Ａから上述した干渉回避動作を行って印刷開始位置まで移動し、光ディスクの印刷が開始される。
【００６１】
光ディスクの印刷が終了して補助トレイ１３０がディスク出入位置Ｂまで移動したら、ユーザは光ディスクを補助トレイ１３０から取り出してトレイセットボタンを押下する。すると、搬送駆動部１７０の駆動モータ１７１が逆転して定速駆動となり、補助トレイ駆動モータ１９１が逆転して定速駆動となる。これにより、記録ヘッド及び排紙ギザローラ１４８は元の位置へ移動し、補助トレイ１３０は、ディスク出入位置Ｂから排紙ローラ１４９及び紙送りローラ１４６を通って待機位置Ａまで移動する。その後、補助トレイ駆動モータ１９１が停止し、搬送駆動部１７０の駆動モータ１７１が停止し、スタンバイ状態となる。以上により、光ディスクの表面の印刷が完了する。
【００６２】
以上のように、このインクジェット式プリンタ１００によれば、記録前の記録用紙Ｐのセッティングから記録後の記録用紙Ｐの取り出し、さらにはインクカートリッジ１５２の交換等にいたるまで前面側で全て処理することができるので、操作が迅速かつ容易となり、記録効率を向上させることができると共に、プリンタ上部への周辺機器の設置が可能となり、作業空間を有効利用することができる。
【００６３】
以上、本発明を種々の実施形態に関して述べたが、本発明は以上の実施形態に限られるものではなく、特許請求の範囲に記載された発明の範囲内で、他の実施形態についても適用されるのは勿論である。例えば、記録装置として前面操作型のプリンタを例に説明したが、これに限られるものではなく、例えば背面から給紙可能なプリンタ、ファクシミリ装置やコピー装置等の記録装置にも適用可能である。
【図面の簡単な説明】
【図１】本発明の実施の形態に係る記録装置の１つであるインクジェット式プリンタの構成例を斜め前方から見た斜視図である。
【図２】図１のインクジェット式プリンタのスタッカを開にして記録用紙が受けられるようにした状態を示す斜視図である。
【図３】図１のインクジェット式プリンタのトレイを引き出して記録用紙が収納可能なようにした状態を示す斜視図である。
【図４】図１のインクジェット式プリンタの前枠、スタッカ及びトレイを取り外した状態を示す斜視図である。
【図５】図１のインクジェット式プリンタの筐体、前枠及びスタッカを取り外した状態を示す斜視図である。
【図６】図５のインクジェット式プリンタの平面図である。
【図７】図１のインクジェット式プリンタの補助トレイ及び補助トレイ駆動手段の概略構成を示す斜視図である。
【図８】図１のインクジェット式プリンタの第１紙案内とその周辺部の詳細を示す斜視図である。
【図９】図８を下方から見た斜視図である。
【図１０】図８の詳細を示す第１の斜視図である。
【図１１】図８の詳細を示す第２の斜視図である。
【図１２】図８の詳細を示す第３の斜視図である。
【図１３】図１０のさらに詳細を示す斜視図である。
【図１４】図１１のさらに詳細を示す斜視図である。
【図１５】図１のインクジェット式プリンタによる記録用紙の記録状態を示す第１の図である。
【図１６】図１のインクジェット式プリンタによる記録用紙の記録状態を示す第２の図である。
【図１７】図１のインクジェット式プリンタによる記録用紙の記録状態を示す第３の図である。
【図１８】図１のインクジェット式プリンタによる光ディスクの印刷状態を示す第１の図である。
【図１９】図１のインクジェット式プリンタによる光ディスクの印刷状態を示す第２の図である。
【図２０】図１のインクジェット式プリンタによる光ディスクの印刷状態を示す第３の図である。
【図２１】図１のインクジェット式プリンタによる光ディスクの印刷状態を示す第４の図である。
【符号の説明】
１３Ａ、１３Ｂ、１３Ｃ  用紙接触面、１４Ａ、１４Ｂ  コロローラ、１５Ａ、１５Ｂ  可動リブ、１００  インクジェット式プリンタ、１０１  筐体、１０２  前枠、１１０  スタッカ、１１１  基台、１１２  第１の受け台、１１３  第２の受け台、１２０  トレイ、１２１  本体、１２２  ホッパ、１３０  補助トレイ、１４０  用紙搬送部、１４１Ａ、１４１Ｂ、１４１Ｃ  第１紙案内Ａ、Ｂ、Ｃ、１４２  給紙ローラ、１４３  パッドホルダ、１４４  第２紙案内、１４５  従動ローラ、１４６  紙送りローラ、１４７  第３紙案内、１４８  排紙ギザローラ、１４９  排紙ローラ、１５０  記録部、１５１  キャリッジ、１５２  インクカートリッジ、１５４  ガイド軸、１５５  フレキシブル配線板、１６０  制御部、１７０  搬送駆動部、１７１  駆動モータ、１７２  ギア機構、１８０  記録駆動部、１８１  駆動モータ、１８２  ベルト機構、１９０  補助トレイ駆動手段
【図１】
2004216590.tif 000003
【図２】
2004216590.tif 000004
【図３】
2004216590.tif 000005
【図４】
2004216590.tif 000006
【図５】
2004216590.tif 000007
【図６】
2004216590.tif 000008
【図７】
2004216590.tif 000009
【図８】
2004216590.tif 000010
【図９】
2004216590.tif 000011
【図１０】
2004216590.tif 000012
【図１１】
2004216590.tif 000013
【図１２】
2004216590.tif 000014
【図１３】
2004216590.tif 000015
【図１４】
2004216590.tif 000016
【図１５】
2004216590.tif 000017
【図１６】
2004216590.tif 000018
【図１７】
2004216590.tif 000019
【図１８】
2004216590.tif 000020
【図１９】
2004216590.tif 000021
【図２０】
2004216590.tif 000022
【図２１】
2004216590.tif 000023